(57)【特許請求の範囲】
【請求項１】
複数の鈎部が分岐部にて軸部から外方へ放射状に分岐した錨状の釣針に於て、
前記分岐部の外側を覆って当該分岐部の下側の鈎部間の間隙を合成樹脂材で埋めると共に、当該合成樹脂材を球状に形成したことを特徴とする釣針。
【請求項２】
前記軸部に、前記分岐部を挿通して該分岐部の下側に突出する釣糸が取り付き、前記合
成樹脂材が該釣糸を覆っていることを特徴とする請求項１に記載の釣針。
【発明の詳細な説明】
【技術分野】
【０００１】
本発明は釣針に係り、詳しくはルアー釣り用のトレブルフックや鮎の友釣り用の錨針等の所謂錨状の釣針に関する。
【背景技術】
【０００２】
従来からルアー釣り用のトレブルフックや鮎の友釣り用の錨針等、複数の鈎部が軸部から外方へ放射状に分岐する所謂錨状の釣針が使用されている。
【０００３】
特許文献１または図８乃至図１０に示すように友釣り用の錨針１は、例えばハリス３に３本の釣針５の軸部７を沿わせて、各軸部７をハリス３に止着糸９で結束固定したもので、図８に示すように釣針５は前記軸部７と鈎部１１とからなり、該鈎部１１は軸部７から外方へ湾曲した湾曲部１３と、該湾曲部１３にて折り返されて先端が先細り状に形成された針先部１５とで構成されている。そして、図１０に示すように錨針１は、釣針５の夫々の鈎部１１が同じ位置（図中、分岐部１７）で軸部７から分岐して、外方へ放射状に突出した構造となっている。
【０００４】
そして、前記錨針１は、ハリス３の端部に一時溶解或いは接着剤の塗布等の手段で凸部１９を設けて、使用中に釣針５がハリス３から脱落するのを防止したものである。
【０００５】
また、特許文献２には、釣針の軸部と湾曲部との分岐部に筒状の固定具を取り付けて、釣針のズレを防止した鮎の友釣り用の錨針が開示されている。
【０００６】
一方、ルアー釣り用のトレブルフックは、軸部の一端側にリング部が一体に形成され、他端側に複数の鈎部が同じ位置（分岐部）で分岐して、外方へ放射状に突出した構造となっており、錨針と同様、前記鈎部は軸部から外方へ湾曲した湾曲部と、該湾曲部にて折り返されて先端が先細り状に形成された針先部とで構成されている。
【特許文献１】実開昭５７−１５１７９号公報
【特許文献２】実開昭５９−１５９２６９号公報
【発明の開示】
【発明が解決しようとする課題】
【０００７】
しかし乍ら、前記錨針やトレブルフックは、軸部から複数の鈎部が外方へ放射状に分岐した分岐部の鈎部の間に水分が付着し易く、長期に亘る使用により斯様に付着した水分で腐食（錆び）してしまう虞があった。
【０００８】
本発明は斯かる実情に鑑み案出されたもので、鈎部の分岐部に水分が付着するのを防止して、鈎部間の腐食（錆び）を防止した錨状の釣針を提供することを目的とする。
【課題を解決するための手段】
【０００９】
斯かる目的を達成するため、請求項１に係る発明は、複数の鈎部が分岐部にて軸部から外方へ放射状に分岐した錨状の釣針に於て、前記分岐部の外側を覆って当該分岐部の下側の鈎部間の間隙を合成樹脂材で埋めると共に、当該合成樹脂材を球状に形成したことを特徴とする。
【００１０】
そして、請求項２に係る発明は、請求項１に記載の釣針に於て、前記軸部に、前記分岐部を挿通して該分岐部の下側に突出する釣糸が取り付き、前記合成樹脂材が該釣糸を覆っていることを特徴とする。
【発明の効果】
【００１２】
請求項１に係る発明によれば、分岐部の外側を覆って当該分岐部の下側の鈎部間の間隙を合成樹脂材で埋めることで、分岐部に於ける釣針の腐食を防止して鈎部の破損を防止することができると共に、分岐部に巻き込まれた水流によって生じる抵抗を少なくして釣針のブレを軽減することができる。
そして、合成樹脂材が分岐部の外側を覆った構造上、鈎部が合成樹脂材を貫通してその表面から鈎部の湾曲部が外方へ突出するため、鈎部にかかった荷重による鈎部の広がりを防止して錨針の破損を防止することができると共に、釣針に取り付けた合成樹脂材を球状に形成したことで、合成樹脂材の水の抵抗が少なくなる利点を有する。
【００１４】
更に、請求項２に係る発明によれば、釣糸からの合成樹脂材の脱落を防止することができる。
【発明を実施するための最良の形態】
【００１５】
以下、本発明の実施形態を図面に基づいて詳細に説明する。
【００１６】
図１乃至図４は請求項１及び請求項２の一実施形態に係る発明を鮎の友釣り用の錨針に適用したもので、図１に示すように友釣り用の仕掛け２１は、道糸２３の先端に鼻環２５が取り付き、該鼻環２５に更に中ハリス２７が取り付き、その先端に逆針２９が取り付けられている。逆針２９は、釣糸挿通孔３１と釣糸挟持部３３を有するハリス止め部３５が設けられており、該ハリス止め部３５に、ナイロン等合成樹脂のハリス３７付きの錨針３９のハリス３７が挟持されて着脱自在に取り付けられている。
【００１７】
而して、前記仕掛け２１は、鼻環２５をおとり鮎４１の鼻４３に挿着し、逆針２９をしりビレ４５付近に係止して使用され、おとり鮎４１を泳がせた時に、これを追い払いに近寄ってきた野鮎が錨針３９に引っ掛かるようになっている。
【００１８】
図２乃至図４に示すように錨針３９は、従来の錨針と同様、ハリス３７を挟持するように３本の釣針４７の軸部４９を沿わせて、各軸部４９をハリス３７に止着糸５１で結束固定したもので、釣針４７は前記軸部４９と鈎部５３とからなり、該鈎部５３は軸部４９から外方へ湾曲した湾曲部５５と、該湾曲部５５にて折り返されて先端が先細り状に形成された針先部５７とで構成されている。そして、錨針３９は、釣針４７の夫々の鈎部５３が同じ位置（図３中、分岐部５９）で軸部４９から分岐して外方へ放射状に突出した構造となっており、図３に示すようにハリス３７が、各軸部４９間の中央を軸部４９の上方から分岐部５９の下側へと挿通している。
【００１９】
そして、本実施形態は、前記分岐部５９に、錨針３９の夫々の鈎部５３間の間隙（図４中、６１）を埋めるように合成樹脂材６３を取り付けたもので、分岐部５９は該合成樹脂材６３によって外側が覆われている。
【００２０】
合成樹脂材６３は、熱可塑性樹脂や熱硬化性樹脂，光硬化性樹脂の他、反応系，溶液系の合成樹脂接着剤を用いることができ、流動状態または軟化状態で分岐部５９に塗布し、固化させて付着させており、図示するように合成樹脂材６３は周囲が曲面で形成された卵型の球状に形成され、分岐部５９近傍の軸部４９から分岐部５９下側の鈎部５３に亘って同時にこれらを外側から覆って付着している。尚、合成樹脂材６３は卵型に代えてボール状の球状にしてもよい。
【００２１】
そして、鈎部５３は合成樹脂材６３を貫通して、その表面から湾曲部５５が外方へ突出し、錨針３９の下方に突出するハリス３７は合成樹脂材６３を貫通して合成樹脂材６３の下方へ突出し、合成樹脂材６３で錨針３９に保持されている。
【００２２】
尚、合成樹脂材６３の材料を変えたり、取り付ける量を変えて重量を重くしたり軽くして錨針３９のバランスを調節することができ、また、金属粉末等の重量体を入れてその重量を調節することも可能である。そして、分岐部５９下側の鈎部５３間の間隙は、湾曲部５５が針先部５７へと折り返される部位まで広がるが、合成樹脂材６３は間隙全てを埋めていなくても、図２の如く分岐部５９近傍を埋めていればよい。
【００２３】
このように本実施形態に係る錨針３９は、合成樹脂材６３が分岐部５９近傍の軸部４９から分岐部５９下側の鈎部５３に亘ってこれらを外側から覆って鈎部５３間の間隙６１を埋めているため、該間隙６１への水分の浸入を防止し、腐食（錆び）を防止する。
【００２４】
また、合成樹脂材６３が錨針３９の外側から分岐部５９を覆い、鈎部５３が合成樹脂材６３を貫通してその表面から湾曲部５５が外方へ突出するため、該合成樹脂材６３が鈎部５３にかかった荷重による鈎部５３（湾曲部５５）の広がりを防止して錨針３９の破損や周方向及び長手方向のズレを防止し、また、分岐部５９下方への水流の巻き込みを緩和し、抵抗を少なくして錨針３９のブレを軽減する。
【００２５】
而も、合成樹脂材６３は周囲が曲面で形成された卵型の球状に形成されているため、水の抵抗が軽減されるし、ハリス３７が合成樹脂材６３で錨針３９に保持されているため、合成樹脂材６３が抜止めされる。
【００２６】
従って、本実施形態によれば、分岐部５９に於ける錨針３９の腐食（錆び）を防止して鈎部５３の破損を防止することができると共に、分岐部５９に巻き込まれた水流によって生じる抵抗を少なくして錨針３９のブレを軽減することができる。
【００２７】
また、鈎部５３にかかった荷重による鈎部５３の広がりを合成樹脂材６３が防止して錨針３９の破損を防止することができると共に、合成樹脂材６３がハリス３７から脱落してしまうことがなく、更にまた、合成樹脂材６３は周囲が曲面で形成された卵型の球状に形成されているため、合成樹脂材６３の水の抵抗が少なくなる利点を有する。
【００２８】
図５乃至図７は請求項１に係る発明をルアー釣り用のトレブルフックに適用した一実施形態を示し、図５に於て、６５はＡＢＳ樹脂等の硬質な樹脂で小魚状に形成されたルアーで、その表面に図示しない魚模様が施されている。そして、ルアー６５の口部近傍にリップ６７が形成されており、水の抵抗をこのリップ６７に作用させてルアー６５に実物の魚泳に似せたルアーアクションを行わせるようになっている。
【００２９】
そして、ルアー６５の口部に位置するダルマピン６９に止着部材７１を介して道糸７３が取り付き、ルアー６５の腹部と尾びれ部に取り付くダルマピン７５に、夫々、リング７７を介してトレブルフック７９が連結されている。
【００３０】
図６及び図７に示すようにトレブルフック７９は、従来と同様、３本の釣針が軸部を並設して一体に溶着されて形成されており、軸部８１の一端側にリング部８３が一体に形成され、他端側に３本の鈎部８５が同じ位置（図７中、分岐部８７）で分岐して外方へ放射状に突出した構造となっており、前記鈎部８５は軸部８１から外方へ湾曲した湾曲部８９と、該湾曲部８９にて折り返されて先端に返し９１が形成された針先部９３とで構成されている。
【００３１】
そして、本実施形態も、図２の錨針３９と同様、夫々の鈎部８５間の間隙を埋めるように前記分岐部８７に、前記合成樹脂材６３と同一材料，同一形状の合成樹脂材９５を取り付けたもので、合成樹脂材９５は分岐部８７近傍の軸部８１から分岐部８７下側の鈎部８５に亘って同時にこれらを外側から覆って付着している。そして、本実施形態に於ても、合成樹脂材９５の材料を変えたり、取り付ける量を変えて重量を重くしたり軽くしてトレブルフック７９のバランスを調節することができ、また、金属粉末等の重量体を入れてその重量を調節することも可能である。
【００３２】
また、分岐部８７下側の鈎部８５間の間隙は、湾曲部８９が針先部９３へと折り返される部位まで広がるが、本実施形態に於ても、合成樹脂材９５は間隙全てを埋めていなくても、図７の如く分岐部８７近傍を埋めていればよい。
【００３３】
このように本実施形態に係るトレブルフック７９も、合成樹脂材９５が分岐部８７近傍の軸部８１から分岐部８７下側の鈎部８５に亘ってこれらを外側から覆って鈎部８５間の間隙を埋めているため、該間隙への水分の浸入を防止し、腐食（錆び）を防止する。
【００３４】
また、合成樹脂材９５がトレブルフック７９の外側から分岐部８７を覆うため、該合成樹脂材９５が鈎部８５（湾曲部８９）の広がりを防止してトレブルフック７９の破損を防止し、また、分岐部８７下方への水流の巻き込みを緩和し、抵抗を少なくしてトレブルフック７９のブレを軽減する。
【００３５】
而も、合成樹脂材９５は周囲が曲面で形成された卵型の球状に形成されているため、水の抵抗が軽減される。
【００３６】
従って、本実施形態によっても、図１の実施形態と同様、分岐部８７に於けるトレブルフック７９の腐食（錆び）を防止して鈎部８５の破損を防止することができると共に、分岐部８７に巻き込まれた水流によって生じる抵抗を少なくしてトレブルフック７９のブレを軽減することができる。
【００３７】
また、鈎部８５にかかった荷重による鈎部８７の広がりを防止してトレブルフック７９の破損を防止することができると共に、合成樹脂材９５は周囲が曲面で形成された卵型の球状に形成されているため、合成樹脂材９５の水の抵抗が少なくなる利点を有する。
【図面の簡単な説明】
【００３８】
【図１】請求項１及び請求項２の一実施形態に係る錨針を用いた友釣り用仕掛けの説明図である。
【図２】錨針の拡大図である。
【図３】錨針の部分断面図である。
【図４】分岐部の断面図である。
【図５】請求項１の一実施形態に係るトレブルフックを用いたルアーの側面図である。
【図６】トレブルフックの斜視図である。
【図７】トレブルフックの部分断面図である。
【図８】従来の錨針の錨針の制作工程を示す斜視図である。
【図９】錨針の制作工程を示す斜視図である。
【図１０】従来の錨針の錨針の全体斜視図である。
【符号の説明】
【００３９】
２１  仕掛け
３７  ハリス
３９  錨針
４１  おとり鮎
４７  釣針
４９，８１  軸部
５１  止着糸
５３，８５  鈎部
５５，８９  湾曲部
５７，９３  針先部
５９，８７  分岐部
６１  鈎部間の間隙
６３，９５  合成樹脂材
６５  ルアー
７９  トレブルフック
【図１】
0004846689.tif 000002
【図２】
0004846689.tif 000003
【図３】
0004846689.tif 000004
【図４】
0004846689.tif 000005
【図５】
0004846689.tif 000006
【図６】
0004846689.tif 000007
【図７】
0004846689.tif 000008
【図８】
0004846689.tif 000009
【図９】
0004846689.tif 000010
【図１０】
0004846689.tif 000011